(57)【要約】      （修正有）【課題】避雷針の引下げ線用接地線接続箱への落雷カウンタの内蔵を実現し、落雷回数を計測できる接地線接続箱を提供する。【解決手段】接地線接続箱１１の中に、変流器１２と、電流検出用制御器１３および表示器１４からなる落雷カウンタ１９を収納し、接地線接続箱１１の前面から表示器１４が表示する落雷回数を目視できるようにする。【選択図】図１
0003190766.tif 000002
【実用新案登録請求の範囲】
【請求項１】
避雷針の接地線接続箱内に、変流器と、電流検出用制御器および表示器からなる落雷カウンタとを配設したことを特徴とする接地線接続箱。
【請求項２】
前記接地線接続箱の底板に変流器の一方のコアを、上蓋の裏側に巻線を有する変流器の他方のコアを相対するように固定し、電流検出用制御器と表示器を上蓋の裏側に配設した請求項１に記載の接地線接続箱。
【請求項３】
前記表示器の表示を接地線接続箱の前面から目視可能とした請求項１又は２に記載の接地線接続箱。
【考案の詳細な説明】
【技術分野】
【０００１】
本考案は、建築物などに設置される避雷針の一部を構成する接地線接続箱に関するものである。
【背景技術】
【０００２】
従来の接地線接続箱４は、図５および図６に示すように、建物１の屋上に設置された避雷針２からの雷電流を大地に放出させるために、引下げ線３の端子３ａと接地極６からのリード線５の端子５ａを箱の中でボルトで電気的に接続すること、雷電流を大地に放出し、接地極６の接地抵抗を定期的に測定する場合は端子３ａ，５ａを緩めて、電気的に接地極６と分離することだけの機能であった（例えば、非特許文献１，２参照）。そのため、落雷回数を計測することは不可能であった。
【先行技術文献】
【非特許文献】
【０００３】
【非特許文献１】『公共建築工事標準仕様書（電気設備工事編）平成２５年版』第７８頁「１．１７．３試験用接続端子箱」  一般社団法人公共建築協会  編集・発行
【非特許文献２】『公共建築設備工事標準図（電気設備工事編）平成１９年版』第１７５頁「試験用接続端子箱」  社団法人公共建築協会  編集・発行
【考案の概要】
【考案が解決しようとする課題】
【０００４】
避雷針２を設置する場合、受雷回数が多くなると先端部が熔解し、機能を維持できなくなるため、交換時期を明確にする手段として、落雷回数の計測が要求されていた。
【０００５】
一方、近年、落雷を抑制するための新型避雷針が発明され実用化されている。新型避雷針の抑制効果を多方面から実証するためには落雷回数の計測が必要となっている。従来、落雷回数を計測する場合は、図７に示すように、引下げ線３の一部に変流器７を固定し、さらに、落雷カウンタ８（電流検出制御部と表示部）を別置きの配電盤等に収納する必要があり、装置のスペースや経済性で課題が生じていた。
【課題を解決するための手段】
【０００６】
上記課題を解決するための請求項１に係る考案は従来から一般に使用されている接地線接続箱１１の中に、変流器１２と、電流検出用制御器１３および表示器１４からなる落雷カウンタ１９（図１参照）を収納し、従来の接地線接続箱４の機能に落雷カウンタ８（図７参照）の機能を付加した接地線接続箱とする。請求項２に係る考案は請求項１記載の接地線接続箱１１において、接地線接続箱１１の底板１６に変流器１２の一方のコア１２ａを、また、上蓋１７の裏側に巻線を有する変流器１２の他方のコア１２ｂを相対するように固定し、更に、落雷カウンタ１９を構成する電流検出用制御器１３と表示器１４も上蓋１７の裏側に配列したため、上蓋１７を下箱に固定するだけで落雷回数を計測できる接地線接続箱１１となる。また、請求項３に係る考案は表示器１４の計測方法に関するもので上蓋１７に防水性の表示部を設けることにより、上蓋１７の開閉作業をしなくても容易に落雷回数を目視できる構造としている。
【考案の効果】
【０００７】
避雷針で捕捉した雷電流の回数を従来から使用されている接地線接続箱をそのまま利用し、落雷回数を容易に目視により計測できるため、接地線接続箱と別置きの測定装置が不要となり、装置の小型化や工事工数が低減でき、経済性が大幅に向上した。
【図面の簡単な説明】
【０００８】
【図１】本考案の実施形態で、接地線接続箱の概略構成を示す図である。
【図２】図１の接地線接続箱の具体的構造を示し、上蓋を外した状態の断面図である。
【図３】図２の上蓋を取り付けた状態を示す断面図である。
【図４】図３の正面図である。
【図５】従来の避雷針および接地線接続箱を示す図である。
【図６】従来の接地線接続箱を示す断面図である。
【図７】従来の接地線接続箱に変流器および落雷カウンタを外付けした図である。
【考案を実施するための形態】
【０００９】
本考案を実施するための形態について、図１〜図４を参照しながら説明する。なお、図５〜図７と同一部分には同一参照符号を付して重複説明は省略する。
【００１０】
この実施形態の接地線接続箱１１は、図１に示すように、筐体１５内に半割構造をなす電流検出用変流器１２と、電流検出用制御器１３および表示器１４からなる落雷カウンタ１９とを内蔵させている。
【００１１】
図２および図３に示すように、筐体１５の底板１６に変流器１２の一方のコア１２ａを固定し、上蓋１７の裏側にコア１２ａと相対するように他方のコア１２ｂが固定されている。変流器１２を構成する他方のコア１２ｂには電流検出用の巻線が所定数巻きつけられている。この変流器１２では、両コア１２ａ，１２ｂの中心に接地極６からのリード線５を引き入れてここに流れる電流を検出する。
【００１２】
変流器１２の検出出力はリード線１８を介して上蓋１７の裏側に固定された電流検出用制御器１３に接続される。また、落雷回数を表示する表示器１４も同様に上蓋１７の裏側に固定されている。
【００１３】
表示器１４は、図４に示すように、上蓋１７に孔を設け、この孔を利用して前面から目視により、落雷回数を確認できる構造となっている。表示器１４は、電子式あるいは電磁式のいずれでも適用可能である。また、変流器１２は、半割構造の分割型に限られず、貫通型も適用可能である。
【００１４】
以上で説明した本考案の接地線接続箱は、以下の利点を有している。
（１）接地線接続箱１１と落雷カウンタ１９（電流検出用制御器１３と表示器１４）を併用できる。
（２）表示器１４の配置を上蓋１７に設置する構造としたため、コンパクトで経済的な接地線接続箱１１が提供できる。
（３）接地線接続箱１１は、避雷針への落雷回数を計測する従来の落雷カウンタ４の機能と、従来から使用されている接地線接続箱４の機能と併用して利用できる。
【００１５】
本考案は前述した実施形態に何ら限定されるものではなく、本考案の要旨を逸脱しない範囲内において、さらに種々なる形態で実施し得ることは勿論のことであり、本考案の範囲は、実用新案登録請求の範囲によって示され、さらに実用新案登録請求の範囲に記載の均等の意味、および範囲内のすべての変更を含む。
【符号の説明】
【００１６】
１１  接地線接続箱
１２  変流器
１２ａ，１２ｂ  コア
１３  電流検出用制御器
１４  表示器
１９  落雷カウンタ
【図１】
0003190766.tif 000003
【図２】
0003190766.tif 000004
【図３】
0003190766.tif 000005
【図４】
0003190766.tif 000006
【図５】
0003190766.tif 000007
【図６】
0003190766.tif 000008
【図７】
0003190766.tif 000009